(57)【要約】      （修正有）【課題】本発明は、照明システム、投影装置及び照明制御方法を提供する。【解決手段】照明システム１００は励起光源１４０、光学素子１５０、光源駆動器１３０、温度センシングモジュール１２０及び制御器１１０を含む。励起光源は励起光束ＥＢを発する。光学素子は励起光束の伝播経路に位置する。光源駆動器は励起光源を駆動する。温度センシングモジュールは光学素子の隣接領域に位置する。温度センシングモジュールは光学素子の隣接領域の温度をセンシングしてセンシング電圧ＳＶを出力する。制御器はセンシング電圧を受け取って、センシング電圧が所定電圧範囲外にあるかを判断し、また、制御信号を光源駆動器に出力して、光源駆動器に励起光束を調整させる。【選択図】図１
2020042267.tif 000002
【特許請求の範囲】
【請求項１】
励起光源、光学素子、光源駆動器、温度センシングモジュール及び制御器を含む照明システムであって、
前記励起光源は、励起光束を発し、
前記光学素子は、前記励起光束の伝播経路に位置し、
前記光源駆動器は、前記励起光源に電気接続され、前記励起光源を駆動し、
前記温度センシングモジュールは、前記光学素子の隣接領域に位置し、前記光学素子の前記隣接領域の温度をセンシングしてセンシング電圧を出力し、
前記制御器は、前記光源駆動器及び前記温度センシングモジュールに電気接続され、前記センシング電圧を受け取って、前記センシング電圧が所定電圧範囲外にあるかを判断し、また、制御信号を前記光源駆動器に出力して、前記光源駆動器が前記励起光束を調整するようにさせる、照明システム。
【請求項２】
請求項1に記載の照明システムであって、
前記温度センシングモジュールは、
前記光学素子の前記隣接領域に位置する回路板；及び
前記回路板に設置され、前記回路板の温度をセンシングして前記センシング電圧を出力する温度センサを含み、
前記回路板が少なくとも一部の前記励起光束を受け取ったときに、前記温度センサにより出力される前記センシング電圧は変化する、照明システム。
【請求項３】
請求項2に記載の照明システムであって、
前記温度センサは、サーミスタを含み、前記サーミスタは、前記回路板の前記温度に基づいて前記センシング電圧を前記制御器に出力する、照明システム。
【請求項４】
請求項3に記載の照明システムであって、
前記サーミスタは、正温度係数サーミスタであり、
前記回路板が少なくとも一部の前記励起光束を受け取ったときに、前記サーミスタにより前記制御器に出力される前記センシング電圧は降下する、照明システム。
【請求項５】
請求項3に記載の照明システムであって、
前記サーミスタは、負温度係数サーミスタであり、
前記回路板が少なくとも一部の前記励起光束を受け取ったときに、前記サーミスタにより前記制御器に出力される前記センシング電圧は上昇する、照明システム。
【請求項６】
請求項1に記載の照明システムであって、
前記制御器は、前記センシング電圧が前記所定電圧範囲外にあるかに基づいて前記光源駆動器を制御して、前記励起光源の出力パワーを降下させ、又は前記励起光源をオフにさせる、照明システム。
【請求項７】
請求項1に記載の照明システムであって、
前記光学素子は、波長変換素子であり、前記波長変換素子は、順に、前記励起光束を変換光束に変換し、且つ前記励起光束を反射する、照明システム。
【請求項８】
請求項1に記載の照明システムであって、
波長変換素子をさらに含み、
前記波長変換素子は、前記励起光束の伝播経路に位置し、前記励起光源が発する前記励起光束を受け取り、前記波長変換素子は、順に、前記励起光束を変換光束に変換し、且つ前記励起光束を通過させ、
前記光学素子は、反射ミラーであり、前記反射ミラーは、前記波長変換素子を通過した前記励起光束を反射する、照明システム。
【請求項９】
照明システム、ライトバルブ及び投影レンズを含む投影装置であって、
前記照明システムは、照明光束を提供し、且つ励起光源、光学素子、光源駆動器、温度センシングモジュール及び制御器を含み、
前記励起光源は、励起光束を発し、
前記光学素子は、前記励起光束の伝播経路に位置し、
前記光源駆動器は、前記励起光源に電気接続され、前記励起光源を駆動し、
前記温度センシングモジュールは、前記光学素子の隣接領域に位置し、前記光学素子の前記隣接領域の温度をセンシングしてセンシング電圧を出力し、
前記制御器は、前記光源駆動器及び前記温度センシングモジュールに電気接続され、前記センシング電圧を受け取って、前記センシング電圧が所定電圧範囲外にあるかを判断し、また、制御信号を前記光源駆動器に出力して、前記光源駆動器が前記励起光束を調整するようにさせ、
前記ライトバルブは、前記照明光束の伝播経路に位置し、前記照明光束を映像光束に変換し、
前記投影レンズは、前記映像光束の伝播経路に位置し、前記映像光束を投影光束に変換する、投影装置。
【請求項１０】
請求項9に記載の投影装置であって、
前記温度センシングモジュールは、
前記光学素子の前記隣接領域に位置する回路板；及び
前記回路板に設置され、前記回路板の温度をセンシングして前記センシング電圧を出力する温度センサを含み、
前記回路板が少なくとも一部の前記励起光束を受け取ったときに、前記温度センサにより出力される前記センシング電圧は変化する、投影装置。
【請求項１１】
請求項10に記載の投影装置であって、
前記温度センサは、サーミスタを含み、前記サーミスタは、前記回路板の前記温度に基づいて前記センシング電圧を前記制御器に出力する、投影装置。
【請求項１２】
請求項11に記載の投影装置であって、
前記サーミスタは、正温度係数サーミスタであり、
前記回路板が少なくとも一部の前記励起光束を受け取ったときに、前記サーミスタにより前記制御器に出力される前記センシング電圧は降下する、投影装置。
【請求項１３】
請求項11に記載の投影装置であって、
前記サーミスタは、負温度係数サーミスタであり、
前記回路板が少なくとも一部の前記励起光束を受け取ったときに、前記サーミスタにより前記制御器に出力される前記センシング電圧は上昇する、投影装置。
【請求項１４】
請求項9に記載の投影装置であって、
前記制御器は、前記センシング電圧が前記所定電圧範囲外にあるかに基づいて前記光源駆動器を制御して、前記励起光源の出力パワーを降下させ、又は前記励起光源をオフにさせる、投影装置。
【請求項１５】
請求項9に記載の投影装置であって、
前記光学素子は、波長変換素子であり、前記波長変換素子は、順に、前記励起光束を変換光束に変換し、且つ前記励起光束を反射する、投影装置。
【請求項１６】
請求項9に記載の投影装置であって、
前記照明システムは、波長変換素子をさらに含み、
前記波長変換素子は、前記励起光束の伝播経路に位置し、前記励起光源が発する前記励起光束を受け取り、前記波長変換素子は、順に、前記励起光束を変換光束に変換し、且つ前記励起光束を通過させ、
前記光学素子は、反射ミラーであり、前記反射ミラーは、前記波長変換素子を通過した前記励起光束を反射する、投影装置。
【請求項１７】
投影装置中の照明システムを制御するための照明制御方法であって、
前記照明システムは、励起光源、光学素子、光源駆動器及び温度センシングモジュールを含み、前記光源駆動器は、前記励起光源を駆動し、前記励起光源は、励起光束を発し、前記光学素子は、前記励起光束の伝播経路に位置し、前記温度センシングモジュールは、前記光学素子の隣接領域に位置し、
前記照明制御方法は、
前記光学素子の隣接領域の温度をセンシングしてセンシング電圧を出力し；
前記センシング電圧を受け取って、前記センシング電圧が所定電圧範囲外にあるかを判断し；及び
前記センシング電圧が前記所定電圧範囲外にあるときに、制御信号を前記光源駆動器に出力して、前記励起光束を調整させるステップを含む、照明制御方法。
【請求項１８】
請求項17に記載の照明制御方法であって、
前記温度センシングモジュールは、回路板及び温度センサを含み、前記回路板は、前記光学素子の前記隣接領域に位置し、前記温度センサは、前記回路板に設置され、
前記光学素子の前記隣接領域の前記温度をセンシングして前記センシング電圧を出力するステップは、
前記回路板が少なくとも一部の前記励起光束を受け取ったときに、前記温度センサが前記回路板の温度をセンシングして前記センシング電圧を出力するステップを含む、照明制御方法。
【請求項１９】
請求項18に記載の照明制御方法であって、
前記温度センサが前記回路板の前記温度をセンシングして前記センシング電圧を出力するステップは、
正温度係数サーミスタが前記回路板の前記温度をセンシングして前記センシング電圧を出力するステップを含み、
前記センシング電圧が前記所定電圧範囲外にあるときに、前記制御信号を前記光源駆動器に出力して、前記励起光束を調整させるステップは、
前記センシング電圧が前記所定電圧範囲よりも低いときに、前記制御信号を前記光源駆動器に出力して、前記励起光源の出力パワーを降下させ、又は、前記励起光源をオフにさせるステップを含む、照明制御方法。
【請求項２０】
請求項18に記載の照明制御方法であって、
前記温度センサが前記回路板の前記温度をセンシングして前記センシング電圧を出力するステップは、
負温度係数サーミスタが前記回路板の前記温度をセンシングして前記センシング電圧を出力するステップを含み、
前記センシング電圧が前記所定電圧範囲外にあるときに、前記制御信号を前記光源駆動器に出力して、前記励起光束を調整させるステップは、
前記センシング電圧が前記所定電圧範囲よりも高いときに、前記制御信号を前記光源駆動器に出力して、前記励起光源の出力パワーを降下させ、又は、前記励起光源をオフにさせるステップを含む、照明制御方法。
【発明の詳細な説明】
【技術分野】
【０００１】
本発明は、光学システム、該光学システムを含む光学装置及び制御方法に関し、特に、照明システム、投影装置及び照明制御方法に関する。
【背景技術】
【０００２】
レーザ(laser)投影技術の応用が広がるにつれて、レーザ投影装置の輝度への要求が高くなる。よって、レーザ投影装置に用いるレーザのパワーも高くなる。しかし、レーザ投影装置の内部光学素子が、素子の劣化、或いは、機械の落下又は衝突が原因で、レーザ投影装置の内部光学素子が破裂又は破損するようにさせる可能性があるため、レーザ光束（又は励起光束）がレーザ投影装置内部の予期される光路上で伝播することができず、レーザ投影装置の他の内部素子が破損し、使用者の安全性に影響を与える恐れがある。
【０００３】
なお、この“背景技術”の部分は、本発明の内容への理解を助けるためだけのものであるため、この“背景技術”の部分に開示されている内容は、当業者に知られていない技術を含む可能性がある。よって、この“背景技術”の部分に開示されている内容は、該内容、又は、本発明の１つ又は複数の実施例が解決しようとする課題が本発明の出願前に既に当業者に周知されていることを意味しない。
【発明の概要】
【発明が解決しようとする課題】
【０００４】
本発明の目的は、照明システム中に設置される光学素子が破損しているかを有効に判断し、それ相応に励起光源が発する励起光束を調整することができる照明システム、投影装置及び照明制御方法を提供することにある。
【０００５】
本発明の他の目的及び利点は、本発明に開示されている技術的特徴からさらに理解することができる。
【課題を解決するための手段】
【０００６】
上述の１つ又は一部又は全部の目的或いは他の目的を達成するために、本発明の一実施例では、照明システムが提供される。照明システムは、励起光源、光学素子、光源駆動器、温度センシングモジュール及び制御器を含む。励起光源は、励起光束を発する。光学素子は、励起光束の伝播経路に位置し、光源駆動器は、励起光源に電気接続される。光源駆動器は、励起光源を駆動する。温度センシングモジュールは、光学素子の隣接領域に位置する。温度センシングモジュールは、光学素子の隣接領域の温度をセンシングして、センシング電圧を出力する。制御器は、光源駆動器及び温度センシングモジュールに電気接続される。制御器は、センシング電圧を受け取って、センシング電圧が所定電圧範囲外にあるかを判断し、また、制御信号を光源駆動器に出力して、光源駆動器が励起光束を調整するようにさせる。
【０００７】
上述の１つ又は一部又は全部の目的或いは他の目的を達成するために、本発明の一実施例では、投影装置が提供される。投影装置は、照明システム、ライトバルブ及び投影レンズを含む。照明システムは、照明光束を提供する。照明システムは、励起光源、光学素子、光源駆動器、温度センシングモジュール及び制御器を含む。励起光源は、励起光束を発する。光学素子は、励起光束の伝播経路に位置する。光源駆動器は、励起光源に電気接続される。光源駆動器は、励起光源を駆動する。温度センシングモジュールは、光学素子の隣接領域に位置する。温度センシングモジュールは、光学素子の隣接領域の温度をセンシングして、センシング電圧を出力する。制御器は、光源駆動器及び温度センシングモジュールに電気接続される。制御器は、センシング電圧を受け取って、センシング電圧が所定電圧範囲外にあるかを判断し、また、制御信号を光源駆動器に出力して、光源駆動器が励起光束を調整するようにさせる。ライトバルブは、照明光束の伝播経路に位置し、且つ照明光束を映像光束に変換する。投影レンズは、映像光束の伝播経路に位置し、且つ映像光束を投影光束に変換する。
【０００８】
上述の１つ又は一部又は全部の目的或いは他の目的を達成するために、本発明の一実施例では、照明制御方法が提供される。照明制御方法は、投影装置中の照明システムを制御するために用いられる。照明システムは、励起光源、光学素子、光源駆動器及び温度センシングモジュールを含む。光源駆動器は、励起光源を駆動して、励起光源が励起光束を発するようにさせる。光学素子は、励起光束の伝播経路に位置する。温度センシングモジュールは、光学素子の隣接領域に位置する。照明制御方法は、次のようなステップを含み、即ち、光学素子の隣接領域の温度をセンシングして、センシング電圧を出力し；センシング電圧を受け取って、センシング電圧が所定電圧範囲外にあるかを判断し；及び、センシング電圧が所定電圧範囲外にあるときに、制御信号を光源駆動器に出力して、励起光束を調整させるステップである。
【０００９】
以上のことから、本発明の実施例は、少なくとも次のような１つの利点又は効果を有する。即ち、本発明の実施例では、照明システム及び投影装置の内部において、励起光束を伝播させるための光学素子の周囲に温度センシングモジュールを設置し、温度センシングモジュールにより、光学素子が破裂又は破損しているかを有効に監視することができる。このように、使用者は、本発明の照明システム及び投影装置を安全に操作することができる。また、本発明の実施例の照明制御方法では、上述の照明システム及び投影装置中で伝播する励起光束が予期されない光路に伝播するかを監視することで、励起光束を伝播させる光学素子が破裂又は破損しているかを即時に把握し、それ相応に励起光束を調整することができる。
【００１０】
本発明の上述の特徴及び利点をより明らかにするために、以下、実施例を挙げて、添付した図面を参照することにより、詳細に説明する。
【図面の簡単な説明】
【００１１】
【図１】本発明の一実施例における照明システムの機能ブッロク図である。
【図２】本発明の一実施例における投影装置を示す図である。
【図３】本発明の他の実施例における投影装置を示す図である。
【図４】本発明の一実施例における照明制御方法のフローチャートである。
【発明を実施するための形態】
【００１２】
本発明の上述及び他の技術的内容、特徴、機能及び効果は、添付した図面に基づく以下のような好ましい実施例における詳細な説明により明確になる。なお、以下の実施例に言及されている方向についての用語、例えば、上、下、左、右、前、後などは、添付した図面の方向に過ぎない。よって、使用されている方向の用語は、本発明を説明するためだけのものであり、本発明を限定するためのものではない。
【００１３】
図1は、本発明の一実施例における照明システムの機能ブッロク図である。図1に示すように、照明システム100は、制御器(Controller）110、温度センシングモジュール120、光源駆動器130、励起光源140及び光学素子150を含む。本実施例では、制御器110は、温度センシングモジュール120及び光源駆動器130に電気接続される。光源駆動器130は、励起光源140に電気接続され、且つ励起光源140を駆動する。励起光源140は、励起光束EBを発し、光学素子150は、励起光束EBの伝播経路上に位置する。本実施例では、光源駆動器130は、レーザダイオード駆動回路を含んでも良く、励起光源140は、アレイに配列される複数のレーザダイオードを含んでも良いが、本発明は、これに限定されない。本実施例では、光学素子150は、光を反射し又は屈折させることができる素子であり、例えば、反射ミラー(mirror)又は反射式波長変換素子などである。
【００１４】
本実施例では、温度センシングモジュール120は、光学素子150の隣接領域に設置され、光学素子150の隣接領域の温度Tをセンシングして、センシング電圧SVを制御器110に出力する。制御器110は、センシング電圧SVを受け取って、センシング電圧SVが所定電圧範囲外にあるかを判断し、そして、制御信号CSを光源駆動器130に出力する。本実施例では、光源駆動器130は、制御信号CSに基づいて、励起光源140を駆動するための駆動信号ASを調整することで、それ相応に励起光束EBを調整する。
【００１５】
本実施例では、制御器110は、マイクロコントローラ（Microcontroller  Unit，MCU）、信号処理機能を有する中央処理ユニット（Central  Processing  Unit，CPU）、他のプログラム可能な一般用途又は特殊用途のマイクロプロセッサ（Microprocessor）、デジタル信号処理器（Digital  Signal  Processor，DSP）、プログラム可能な制御器、特定用途向け集積回路（Application  Specific  Integrated  Circuits，ASIC）、プログラム可能な論理装置（Programmable  Logic  Device，PLD）、他の類似した装置、又はこれらの装置の組み合わせであっても良い。本実施例では、制御器110は、温度センシングモジュール120により提供されるセンシング電圧SVを分析し、センシング電圧SVの電圧変化結果に応じて、それ相応に励起光源140が出力する励起光束EBを調整することができる。
【００１６】
本実施例では、温度センシングモジュール120は、回路板及び温度センサを含んでも良い。前記回路板は、光学素子150の隣接領域に設置され、温度センサは、前記回路板に設置されても良く、そのうち、前記隣接領域は、光学素子150の後方又は周囲であっても良い。本実施例では、前記回路板は、熱伝導可能な金属材料層を含んでも良い。具体的に言えば、光学素子150が破裂又は破損しているときに、光学素子150に伝播した励起光束EBは、光学素子150の破裂又は破損が原因で、光学素子150が破損又は破裂している箇所から、透過、屈折又は散乱により光学素子150の後方又は周囲に伝播する可能性がある。よって、光学素子150の前記隣接領域に設置される前記回路板は、光学素子150が破損又は破裂している箇所から、透過、屈折また散乱により伝播して来た励起光束EBを受け取ったときに、前記温度センサは、前記回路板の前記熱伝導可能な金属材料層の温度上昇を有効にセンシングすることができる。
【００１７】
本実施例では、前記温度センサは、さらに、サーミスタ（Thermistor）又は温度ヒューズを含んでも良い。サーミスタを例とすると、前記サーミスタは、前記回路板の温度Tに基づいて、それ相応にセンシング電圧SVを制御器110に出力することができる。本実施例では、前記サーミスタは、正温度係数（Positive  Temperature  Coefficient，PTC）サーミスタ又は負温度係数（Negative  Temperature  Coefficient，NTC）サーミスタであっても良い。例えば、前記サーミスタは、電源（Power）と制御器110との間に電気接続され得る。照明システム100がオンになるときに、前記電源は、固定した電圧信号を前記サーミスタに提供し、そして、前記サーミスタを経由して制御器110に提供することができる（センシング電圧SVとされる）。しかし、光学素子150の破裂又は破損が生じたときに、前記回路板の温度Tが上昇するため、前記サーミスタの抵抗値が変わる。よって、前記サーミスタにより伝播され且つそれを通過する前記電圧信号は、前記サーミスタの前記抵抗値の変化による電圧差（voltage  difference）が原因で、それ相応に増加又は減少し、そのせいで、制御器110が受け取った前記電圧信号も同様に変化する。言い換えると、制御器110は、前記サーミスタにより提供される前記電圧信号が所定電圧範囲外にあるかに従って、光学素子150の破裂又は破損による光漏れがあるかを有効に判断することができる。
【００１８】
さらに言えば、前記サーミスタが正温度係数サーミスタの場合、前記回路板が少なくとも一部の励起光束EBを受け取ったときに、前記サーミスタの抵抗値は、温度Tに応じて上昇し、且つ前記サーミスタを経由して制御器110に出力されるセンシング電圧SVが降下する。言い換えると、本実施例の制御器110は、センシング電圧SVが所定電圧範囲よりも低いかに基づいて、それ相応に光源駆動器130を制御して、励起光源140の出力パワーを降下させ、又は、励起光源140をオフにさせることができる。前記サーミスタが負温度係数サーミスタの場合、前記回路板が少なくとも一部の励起光束EBを受け取ったときに、前記サーミスタの抵抗値は、温度Tに伴って降下し、且つ前記サーミスタを経由して制御器110に出力されるセンシング電圧SVが上昇する。言い換えると、本実施例の制御器110は、センシング電圧SVが所定電圧範囲よりも高いかに従って、それ相応に光源駆動器130を制御して、励起光源140の出力パワーを降下させ、又は、励起光源140をオフにさせることができる。
【００１９】
また、上述の温度センサは、さらに、温度ヒューズを含んでも良く、そのうち、前記温度ヒューズは、前記回路板に設置されても良い。光学素子150が破裂又は破損しており、前記回路板が少なくとも一部の励起光束EBを受け取ったときに、前記温度ヒューズにより伝播され且つそれを通過する電圧又は電流が大きすぎて、前記温度ヒューズ中の金属線が溶断し又は切れてしまい、センシング電圧SVがゼロになる場合、制御器110は、センシング電圧SVの変化に基づいて、直接、励起光源140をオフにさせ、防護効果をタイムリーに提供することができる。
【００２０】
図2は、本発明の一実施例における投影装置を示す図である。図2に示すように、投影装置200は、温度センシングモジュール220、励起光源240、波長変換素子250、分光素子261、濾光素子262、光均一化素子263、ライトバルブ270及び投影レンズ280を含む。本実施例では、励起光源240は、励起光束EBを分光素子261に提供し、また、励起光束EBは、分光素子261を透過して波長変換素子250に伝播する。本実施例では、分光素子261は、ビームスプリッタ（Beam  Splitter，BS）であっても良い。濾光素子262は、フィルターホイール（Filter  Wheel）であっても良い。光均一化素子263は、積分ロッド（Integrator  Rod）であっても良い。波長変換素子250は、例えば、反射型蛍光体ホイール（Phosphor  Wheel）であっても良い。ライトバルブ270は、デジタルマイクロミラーデバイス（digital  micro-mirror  device，DMD）、LCOSパネル（liquid-crystal-on-silicon  panel，LCOS  panel）、透過型液晶パネル、又は他の光束変調器などであっても良い。
【００２１】
本実施例では、波長変換素子250は、順に、励起光束EBを変換光束CBに変換し、且つ励起光束EBを反射して励起光束EB’を形成するために用いられる。そして、変換光束CB及び反射された励起光束EB’は、順に、再び濾光素子262及び光均一化素子263に伝播する。濾光素子262及び光均一化素子263は、変換光束CB及び励起光束EB’を順に照明光束LBに変換し、且つ照明光束LBをライトバルブ270に提供する。ライトバルブ270は、照明光束LBを映像光束IBに変換し、且つ映像光束IBを投影レンズ280に提供する。投影レンズ280は、映像光束IBを投影光束PBに変換する。
【００２２】
本実施例では、投影装置200は、さらに、制御器（図示せず）及び光源駆動器（図示せず）を含んでも良く、そのうち、本実施例の制御器及び光源駆動器に関する技術的特徴は、上述の図1の実施例を参照することができる。言い換えると、本実施例の投影装置200は、図1の実施例における照明システム100の他の回路素子を同時に参考することで、組み合わせて実施されても良い。本実施例では、図1の光学素子150は、波長変換素子250であっても良く、温度センシングモジュール220は、波長変換素子250の隣接領域に設置されても良く、温度センシングモジュール220は、電源に電気接続され、電源により提供される固定電圧信号を受け取ることができ、また、温度センシングモジュール220は、前記固定電圧信号に基づいて、それ相応にセンシング電圧を制御器に提供することができる。言い換えると、本実施例の投影装置200は、波長変換素子250の隣接領域に設けられる温度センシングモジュール220により、波長変換素子250が破裂又は破損しているかを有効に監視することができる。
【００２３】
具体的に言えば、波長変換素子250が破裂又は破損しているかを有効に監視するために、温度センシングモジュール220は、波長変換素子250の後方又は周囲の隣接領域に設置することができ、例えば、図2に示す波長変換素子250の後方に設置されても良いが、本発明は、図2の態様に限定されない。本実施例では、温度センシングモジュール220は、例えば、回路板及び温度センサを含み、前記回路板は、熱伝導可能な金属材料層を含んでも良い。言い換えると、投影装置200が作動し始めるときに、波長変換素子250の破裂又は破損が生じた場合、波長変換素子250に伝播した励起光束EBは、波長変換素子250の破裂又は破損が原因で、波長変換素子250が破損又は破裂している箇所から、透過、屈折又は散乱により、波長変換素子250の後方又は周囲に伝播することがある。
【００２４】
そのため、波長変換素子250の隣接領域に設置される温度センシングモジュール220の熱伝導可能な金属材料層が波長変換素子250の破損又は破裂の箇所からの、透過、屈折又は散乱による励起光束EBを受け取ったときに、温度センシングモジュール220の熱伝導可能な金属材料層の温度が、波長変換素子250の破損又は破裂の箇所からの、透過、屈折又は散乱による励起光束EBの照射により、上昇する場合があり、また、温度センシングモジュール220により出力されるセンシング電圧も、それ相応に変化する。よって、本実施例の制御器は、前記センシング電圧が変化して所定電圧範囲外にシフトしたかを判断することで、励起光源240の出力パワーを降下させ、又は励起光源240をオフにさせるかを決定することができる。
【００２５】
また、本実施例における他の回路素子の技術的特徴、細部又は実施方式については、上述の図1の実施例の説明を参照することで十分な教示、ヒント及び実施の説明を得ることができるから、ここでは、その説明を省略する。
【００２６】
図3は、本発明の他の実施例における投影装置を示す図である。図3に示すように、投影装置300は、複数の温度センシングモジュール321〜323、励起光源340、複数の反射ミラー351〜353、分光素子361、濾光素子362、光均一化素子363、ライトバルブ370、投影レンズ380及び波長変換素子390を含む。本実施例では、励起光源340は、励起光束EBを分光素子361に提供し、励起光束EBは、分光素子361を透過して波長変換素子390に伝播する。本実施例では、分光素子361は、ビームスプリッタであっても良い。濾光素子362は、フィルターホイールであっても良い。光均一化素子363は、積分ロッドであっても良い。ライトバルブ370は、デジタルマイクロミラーデバイス（digital  micro-mirror  device，DMD）、LCOSパネル（liquid-crystal-on-silicon  panel，LCOS  panel）、透過型液晶パネル、又は他の光束変調器などであっても良い。波長変換素子390は、例えば、透過型蛍光体ホイールであっても良い。
【００２７】
本実施例では、波長変換素子390は、順に、励起光束EBを変換光束CBに変換し、且つ励起光束EBを通過させて励起光束EB’を形成するために用いられる。変換光束CBは、分光素子361へ反射される。その後、変換光束CBは、分光素子361により濾光素子362及び光均一化素子363へ反射される。また、波長変換素子390を通過した励起光束EB’は、複数の反射ミラー351〜353に伝播する。励起光束EB’は、複数の反射ミラー351〜353により分光素子361へ反射される。励起光束EB’は、分光素子361を透過して濾光素子362及び光均一化素子363に伝播する。濾光素子362及び光均一化素子363は、変換光束CB及び励起光束EB’を順に照明光束LBに変換し、そして、照明光束LBをライトバルブ370に提供する。ライトバルブ370は、照明光束LBを映像光束IBに変換し、そして、映像光束IBを投影レンズ380に提供する。投影レンズ380は、映像光束IBを投影光束PBに変換する。
【００２８】
本実施例では、投影装置300は、さらに、制御器（図示せず）及び光源駆動器（図示せず）を含んでも良く、そのうち、本実施例の制御器及び光源駆動器に関する技術的特徴は、上述の図1の実施例を参照することができる。言い換えると、本実施例の投影装置300は、図1の実施例における照明システム100の他の回路素子を参照することで、組み合わせて実施されても良い。本実施例では、図1の光学素子150は、反射ミラー351〜353であっても良く、複数の温度センシングモジュール321〜323は、それぞれ、複数の反射ミラー351〜353の隣接領域に設置され、また、複数の温度センシングモジュール321〜323は、直列で電源に電気接続され、又は、それぞれ電源に電気接続されても良い。複数の温度センシングモジュール321〜323が直列で電源に電気接続されるケースを例とすると、電源により提供される固定電圧信号は、順に、複数の温度センシングモジュール321〜323により伝播され且つそれらを通過し、これにより、複数の温度センシングモジュール321〜323が前記固定電圧信号に基づいてそれ相応に一つのセンシング電圧を制御器に提供するようにさせることができる。複数の温度センシングモジュール321〜323がそれぞれ電源に電気接続されるケースを例とすれば、電源により提供される複数の固定電圧信号は、それぞれ、複数の温度センシングモジュール321〜323により伝播され且つそれらを通過し、これにより、複数の温度センシングモジュール321〜323が前記複数の固定電圧信号に基づいてそれ相応に複数のセンシング電圧を制御器に提供するようにさせることができる。言い換えると、本実施例の投影装置300は、複数の反射ミラー351〜353の隣接領域に設けられる複数の温度センシングモジュール321〜323により、複数の反射ミラー351〜353が破裂又は破損しているかを有効に監視することができる。
【００２９】
具体的に言えば、複数の反射ミラー351〜353が破裂又は破損しているかを有効に監視するために、複数の温度センシングモジュール321〜323は、複数の反射ミラー351〜353の後方又は周囲の隣接領域に設置することができ、例えば、図3に示す複数の反射ミラー351〜353の後方に設置されても良いが、本発明は、図3の態様に限定されない。本実施例では、複数の温度センシングモジュール321〜323は、回路板及び温度センサを含み、前記回路板は、熱伝導可能な金属材料層を含んでも良い。言い換えると、投影装置300が作動し始めるときに、複数の反射ミラー351〜353のうちの少なくとも１つが破裂又は破損している場合、破裂又は破損している反射ミラーに伝播して来た励起光束EB’は、破損又は破裂の箇所から、透過、屈折又は散乱により、破裂又は破損している反射ミラーの後方又は周囲に伝播することができる。
【００３０】
そのため、複数の反射ミラー351〜353のうちの前記少なくとも１つの隣接領域に設置される複数の温度センシングモジュール321〜323のうちの対応する少なくとも１つの熱伝導可能な金属材料層が、複数の反射ミラー351〜353のうちの前記少なくとも１つの破損又は破裂の箇所からの、透過、屈折又は散乱による励起光束EB’を受け取ったときに、これらの温度センシングモジュール321〜323のうちの対応する前記少なくとも１つの熱伝導可能な金属材料層の温度が、複数の反射ミラー351〜353のうちの前記少なくとも１つの破損又は破裂の箇所からの、透過、屈折又は散乱による励起光束EB’の照射により、上昇する場合がある。また、複数の温度センシングモジュール321〜323のうちの対応する前記少なくともの１つにより出力されるセンシング電圧も変化する。よって、本実施例の制御器は、前記センシング電圧が変化して所定電圧範囲外にシフトしたかを判断することで、励起光源340の出力パワーを降下させ、又は励起光源340をオフにさせるかを決定することができる。
【００３１】
また、本実施例の他の回路素子の技術的特徴、細部又は実施方式については、上述の図1の実施例の説明を参照することで十分な教示、ヒント及び実施の説明を得ることができるから、ここでは、その説明を省略する。
【００３２】
図4は、本発明の一実施例における照明制御方法のフローチャートである。図1及び図4を参照する。本実施例の照明制御方法は、少なくとも、図1の実施例における照明システム100に適用され得る。照明システム100は、制御器110、温度センシングモジュール120、光源駆動器130、励起光源140及び光学素子150を含む。照明システム100は、ステップS410〜S430を実行することができる。まず、照明システム100がオンになるときに、温度センシングモジュール120が光学素子150の隣接領域に設置されるため、ステップS410では、温度センシングモジュール120は、光学素子150の隣接領域の温度Tをセンシングして、センシング電圧SVを制御器110に出力する。続いて、ステップS420では、制御器110が温度センシングモジュール120により提供されるセンシング電圧SVを受け取ったときに、制御器110は、センシング電圧SVが所定電圧範囲外にあるかを判断し、光学素子150が破裂又は破損しているかを判断する根拠とする。「いいえ」の場合、即ち、制御器110により、センシング電圧SVが所定電圧範囲内にあると判断されたときに、ステップS410に戻り、温度センシングモジュール120は、継続して温度をセンシングして電圧を出力する。「はい」の場合、即ち、制御器110により、センシング電圧SVが所定電圧範囲外にあると判断されたときに、ステップS430を行い、制御器110は、制御信号CSを光源駆動器130に出力して、励起光束EBが調整されるようにさせる。換言すると、光学素子150が破裂又は破損している場合、本実施例の照明制御方法では、即時に励起光源140の出力パワーを降下させ、又は励起光源140をオフにさせることができる。
【００３３】
また、本実施例の他の回路素子の技術的特徴、細部又は実施方式については、上述の図1〜図3の実施例の説明を参照することで十分な教示、ヒント及び実施の説明を得ることができるから、ここでは、その説明を省略する。
【００３４】
以上のことから、本発明の実施例は、少なくとも次のような１つの利点又は効果を有する。即ち、本発明の実施例では、照明システム及び投影装置の内部光学素子の隣接領域に温度センシングモジュールを設置することで、使用者が照明システム及び投影装置を操作するときに、照明システム及び投影装置は、励起光束を伝播させるための光学素子の破裂又は破損が生じるかを即時に監視することができる。また、励起光束を伝播させるための光学素子に破裂又は破損が発生した場合、照明システム及び投影装置は、即時に励起光源の出力パワーを降下させ、又は励起光源をオフにさせることができる。このように、本発明の照明システム及び投影装置は、安全な投影機能を提供することができる。また、本発明の実施例の照明制御方法では、上述の照明システム及び投影装置中で伝播する励起光束が予期されない光路上で伝播するかを即時に監視し、上述の照明システム及び投影装置中で励起光束を伝播させるための光学素子が破裂又は破損しているかを有効に判断することで、自動的に励起光源の出力パワーを降下させ、又は励起光源をオフにさせることができる。このように、本発明の照明制御方法は、安全な照明制御効果を提供することができる。
【００３５】
本発明は、前述した好適な実施例に基づいて以上のように開示されたが、前述した好適な実施例は、本発明を限定するためのものでなく、当業者は、本発明の技術的思想と範囲を離脱しない限り、本発明に対して些細な変更と潤色を行うことができるので、本発明の保護範囲は、添付した特許請求の範囲に定まったものを基準とする。また、本発明の何れの実施例又は特許請求の範囲は、本発明に開示されたすべての目的又は利点又は特徴を達成する必要がない。また、要約の一部と発明の名称は、文献の検索を助けるためのみのものであり、本発明の技術的範囲を限定するものでない。また、本明細書又は特許請求の範囲に言及されている「第一」、「第二」などの用語は、要素（element）に名前を付け、又は、異なる実施例又は範囲を区別するためのものみであり、要素の数量上での上限又は下限を限定するためのものでない。
【符号の説明】
【００３６】
100：照明システム
110：制御器
120、220、321、322、323：温度センシングモジュール
130：光源駆動器
140、240、340：励起光源
150：光学素子
200、300：投影装置
250、390：波長変換素子
261、361：分光素子
262、362：濾光素子
263、363：光均一化素子
270、370：ライトバルブ
280、380：投影レンズ
351、352、353：反射ミラー
AS：駆動信号
CS：制御信号
CB：変換光束
EB、EB’：励起光束
IB：映像光束
LB：照明光束
PB：投影光束
SV：センシング電圧
S410、S420、S430：ステップ
T：温度。
【図１】
2020042267.tif 000003
【図２】
2020042267.tif 000004
【図３】
2020042267.tif 000005
【図４】
2020042267.tif 000006